(57)【要約】      （修正有）【課題】直接的に手を触れることなく、布生地を素早く留めることができる傘用留め具を提供する。【解決手段】傘用留め具は、変形部１１と接合部１２を備える。変形部は、外部から与えられる力に応じて環状に変形する。接合部は、変形部の両端部に設けられ、変形部が環状に変形した状態で相互に接合することにより変形部を環状の状態で維持する。閉じた傘の布生地を変形部で挟み、傘を回転させながら変形部を環状に変形させて接合部を相互に接合させることで、傘の布生地を、直接的に手を触れることなく留めることができる。また、傘の回転に伴い布生地を収束させながら環状に変形させるものであるから、予め傘用留め具を環状に組み立てなくともよく、素早く留めることができる。【選択図】図１
0003185031.tif 000002
【実用新案登録請求の範囲】
【請求項１】
外部から与えられる力に応じて環状に変形する変形部と、
前記変形部の両端部に設けられ、前記変形部が環状に変形した状態で相互に接合することにより前記変形部を環状の状態で維持する接合部と、
を備える傘用留め具。
【請求項２】
全体が可撓性を有する樹脂材料で形成されている請求項１に記載の傘用留め具。
【請求項３】
前記変形部は、外部から力が与えられていない状態で、その長手方向に沿う断面が円弧状に形成されている請求項１または２に記載の傘用留め具。
【請求項４】
前記変形部は、その内側の面が波形状に形成されている請求項１から３の何れか１項に記載の傘用留め具。
【請求項５】
外側の面に装飾用のシート部材を備える請求項１から４の何れか１項に記載の傘用留め具。
【請求項６】
前記接合部は、それぞれ磁石を有し、これら磁石が相互に吸着することにより前記変形部を環状の状態で維持する請求項１から５の何れか１項に記載の傘用留め具。
【請求項７】
前記接合部は、窪み部を有し、
前記磁石は、前記窪み部の内部に取り付けられている請求項６に記載の傘用留め具。
【請求項８】
前記窪み部は、前記接合部の外側の面に設けられており、内部に前記磁石が取り付けられた状態で装飾用のシート部材によって塞がれている請求項７に記載の傘用留め具。
【考案の詳細な説明】
【技術分野】
【０００１】
本考案は、傘の布生地を留める傘用留め具に関する。
【背景技術】
【０００２】
濡れた傘の布生地を巻き付けて留める場合には、注意をしていても手が濡れてしまい不快である。そのため、直接的に手を触れることなく傘の布生地を留めるための種々の補助具が考えられている。例えば特許文献１には、平坦な原形状態において一端が先細りになっており、筒状に組み立てた状態で楕円状の開口が現れる傘布収束具が開示されている。
【先行技術文献】
【特許文献】
【０００３】
【特許文献１】特許第４６０１５２６号公報
【考案の概要】
【考案が解決しようとする課題】
【０００４】
特許文献１に開示されている傘布収束具によれば、この傘布収束具を筒状に組み立てた上で、その傘布収束具の開口に傘を差し込み、傘を回転させながら傘布収束具を上に引き上げることで傘を収束させる。そのため、直接的に手を触れることなく傘の布生地を留めることができる。しかし、傘布収束具を予め筒状に組み立ててから傘を収束させるものであるから、傘の布生地を素早く留めることはできない。
【０００５】
そこで、本考案は、傘の布生地を、直接的に手を触れることなく、しかも、素早く留めることができる傘用留め具を提供する。
【課題を解決するための手段】
【０００６】
本考案に係る傘用留め具は、変形部と接合部を備える。変形部は、外部から与えられる力に応じて環状に変形する。接合部は、変形部の両端部に設けられ、変形部が環状に変形した状態で相互に接合することにより変形部を環状の状態で維持する。
【０００７】
この傘用留め具によれば、使用者は、閉じた傘の布生地を変形部で挟み、傘を回転させながら変形部を環状に変形させて接合部を相互に接合させることで、傘の布生地を、直接的に手を触れることなく留めることができる。しかも、この傘用留め具によれば、傘の回転に伴い布生地を収束させながら変形部を環状に変形させるものであるから、使用者は、予め傘用留め具を環状に組み立てなくともよく、従って、傘の布生地を素早く留めることができる。
【図面の簡単な説明】
【０００８】
【図１】一実施形態に係るものであり、変形前の状態を示す傘用留め具の斜視図
【図２】変形後の状態を示す傘用留め具の斜視図
【図３】傘用留め具の正面図
【図４】傘用留め具の背面図
【図５】長手方向に沿う傘用留め具の側面図
【図６】長手方向に直交する方向に沿う傘用留め具の側面図
【図７】接合部およびその周辺部分を一部破断して示す部分拡大図
【図８】使用状態を示す傘用留め具の斜視図
【考案を実施するための形態】
【０００９】
以下、本考案の一実施形態について図面を参照しながら説明する。図１から図６に示すように、傘用留め具１０は、その全体が可撓性を有する樹脂材料で形成されており、変形部１１と一対の接合部１２とを備える。傘用留め具１０を形成する樹脂材料としては、例えばポリプロピレンなどが考えられるが、その他の樹脂材料を採用してもよい。また、傘用留め具１０の外側の面には、装飾用のシート部材１３が貼り付けられている。このシート部材１３の模様や色彩などは適宜変更して実施することができる。
【００１０】
変形部１１は、シート部材１３が貼り付けられた外側の面に外部から与えられる力に応じて、図２に示すように環状に変形する。変形部１１は、外側の面に外部から力が与えられていない状態では、その長手方向に沿う断面が円弧状に形成されている。変形部１１は、その内側の面に、長手方向に直交する方向に延びる複数の突条部１１１を有している。これにより、変形部１１１は、その内側の面が波形状に形成されている。この突条部１１１の先端部は丸みを有しており、隣り合う突条部１１１の間は平坦に形成されている。
【００１１】
接合部１２は、変形部１１の両端部にそれぞれ設けられており、変形部１１が環状に変形した状態で相互に接合することにより、図２に示すように当該変形部１１を環状の状態で維持する。図７に示すように、この場合、接合部１２の外側の面には有底の窪み部１２１が設けられており、この窪み部１２１の内部に磁石１４が嵌め込まれている。そして、窪み部１２１は、内部に磁石１４が取り付けられた状態で、装飾用のシート部材１３の端部によって塞がれている。これにより、磁石１４は、窪み部１２１の内部に取り付けられた状態で維持される。このように構成された接合部１２は、それぞれが有する磁石１４が相互に吸着することにより、環状に変形した変形部１１を、その状態つまり環状の状態で維持する。図３および図４に破線で示すように、この場合、傘用留め具１０は複数の磁石１４を備えており、一方の接合部１２に２つ、他方の接合部１２に２つの合計４つの磁石１４を内蔵している。なお、磁石１４の数は適宜変更して実施することができる。
【００１２】
次に、傘用留め具１０によって傘１００の布生地１０１を留める場合の動作について図８を参照しながら説明する。即ち、使用者は、閉じた状態の傘１００の布生地１０１部分を、変形前の開いた状態の傘用留め具１０の変形部１１の内側に挟む。そして、使用者は、傘１００の全体を周方向に回転させながら変形部１１を環状に変形させ、最後に接合部１２を相互に接合させる。これにより、図８に示すように、傘用留め具１０によって傘１００の布生地１０１が留められる。
【００１３】
本実施形態に係る傘用留め具１０によれば、使用者は、閉じた傘１００の布生地１０１を変形前の変形部１１で挟み、傘１００を回転させながら変形部１１を環状に変形させて接合部１２を相互に接合させることで、傘１００の布生地１０１を、直接的に手を触れることなく留めることができる。しかも、この傘用留め具１０によれば、傘１００の回転に伴い布生地１０１を収束させながら変形部１１を環状に変形させるものであるから、使用者は、予め傘用留め具１０を環状に組み立てなくともよく、従って、傘１００の布生地１０１を素早く留めることができる。
【００１４】
また、傘用留め具１０によれば、その全体が可撓性を有する樹脂材料で形成されている。これにより、構造の複雑化を招くことなく、傘用留め具１０を一つの部材として形成することができる。
【００１５】
また、傘用留め具１０によれば、変形部１１は、外部から力が与えられていない状態で、その長手方向に沿う断面が円弧状に形成されている。これにより、傘１００の布生地１０１を留める際に当該布生地１０１を挟みやすくすることができ、また、変形部１１に外部から力を与えやすくすることができる。
【００１６】
また、傘用留め具１０によれば、変形部１１は、その内側の面が波形状に形成されている。これにより、変形部１１が環状に変形しやすくなる。
また、傘用留め具１０によれば、その外側の面に装飾用のシート部材１３が貼り付けられている。これにより、傘用留め具１０のデザイン性を向上することができる。
【００１７】
また、傘用留め具１０によれば、接合部１２は、それぞれ磁石１４を有し、これら磁石１４が相互に吸着することにより変形部１１を環状の状態で維持する。このように磁石１４を利用した簡素な構成により、構造の複雑化を招くことなく接合部１２を実現することができる。
【００１８】
また、傘用留め具１０によれば、磁石１４は、接合部１２に設けられた窪み部１２１の内部に取り付けられている。これにより、接合部１２に磁石１４が埋め込まれたような状態となり、接合部１２に、ひいては傘用留め具１０に余計な突部が形成されてしまうことを回避することができる。
【００１９】
また、傘用留め具１０によれば、窪み部１２１は、接合部１２の外側の面に設けられており、内部に磁石１４が取り付けられた状態で装飾用のシート部材１３によって塞がれている。これにより、磁石１４の脱落を防止することができる。また、磁石１４の脱落防止用の構成要素を、シート部材１３の一部を利用して実現することができる。
【００２０】
なお、本考案は、上述した一実施形態に限定されるものではなく、その要旨を逸脱しない範囲で変形あるいは拡張することができる。例えば、接合部１２は、磁石１４を備える構成ではなく、例えばマジックテープ（登録商標）など他の接合手段によって構成してもよい。
【符号の説明】
【００２１】
図面中、１０は傘用留め具、１１は変形部、１２は接合部、１３は装飾用のシート部材、１４は磁石、１２１は窪み部を示す。
【図１】
0003185031.tif 000003
【図２】
0003185031.tif 000004
【図３】
0003185031.tif 000005
【図４】
0003185031.tif 000006
【図５】
0003185031.tif 000007
【図６】
0003185031.tif 000008
【図７】
0003185031.tif 000009
【図８】
0003185031.tif 000010